(57)【要約】【課題】液体が吐出される口部に装着されて意図した方向に液体を吐出可能な構造のキャップを提供する。【解決手段】本発明におけるキャップは、上部貫通孔が形成された頂板部と、前記頂板部の周縁から垂下する筒状スカート壁と、を含み、前記頂板部には、前記上部貫通孔を通過した内容物の吐出方向を傾向させるため前記上部貫通孔の一部と連通する下部貫通孔を形成する開口段部が設けられてなる。【選択図】図１
2020158133.tif 000002
【特許請求の範囲】
【請求項１】
上部貫通孔が形成された頂板部と、
前記頂板部の周縁から垂下する筒状スカート壁と、を含み、
前記頂板部には、前記上部貫通孔を通過した内容物の吐出方向を傾向させるため前記上部貫通孔の一部と連通する下部貫通孔を形成する開口段部が設けられてなる、
ことを特徴とするキャップ。
【請求項２】
前記下部貫通孔は、軸方向とは直交する径方向に関し、前記吐出した内容物が傾向する方向とは逆方向へ前記上部貫通孔に対してシフトして配置されている請求項１に記載のキャップ。
【請求項３】
前記上部貫通孔および前記下部貫通孔は共に直径が互いに等しい円孔であり、
前記下部貫通孔の円心は、前記径方向に関して、前記上部貫通孔の円心と前記筒状スカート壁の中心との間に配置されている請求項２に記載のキャップ。
【請求項４】
前記頂板部の表面に、前記上部貫通孔を囲繞するように注出筒が突出形成され、
前記頂板部は、前記上部貫通孔が形成されるとともに前記注出筒の内側に設けられたロート状底板部を含み、
前記上部貫通孔から斜めに吐出された内容物が前記注出筒の内壁に接触する請求項１〜３のいずれか一項に記載のキャップ。
【請求項５】
前記頂板部をカバーする上蓋を更に有し、
前記上蓋には、
前記注出筒の内壁に密接可能なインナーリングと、当該インナーリングの内側で少なくとも前記上部貫通孔を閉塞可能な頂部を具備する閉塞栓と、が形成されている請求項４に記載のキャップ。
【請求項６】
前記上蓋はヒンジ部を介して前記筒状スカート壁の上端部に接続され、
前記ヒンジ部は、軸方向に関して前記上部貫通孔と並置される位置に配設されてなる請求項５に記載のキャップ。
【発明の詳細な説明】
【技術分野】
【０００１】
本発明は、液体を吐出可能なキャップに関し、例えば容器の口部と係合可能であって少量で意図した箇所に吐出可能なキャップ構造に関する。
【背景技術】
【０００２】
昨今において食用油やドレッシングなどの液状の内容物を収容する可撓性の容器が広く用いられている。一般的にこの可撓性の容器の口部には、上記したような種々の内容物を吐出可能なキャップが用いられている。
【０００３】
可撓性の容器から内容物を吐出する際、容器の本体を加圧するスクイズによって容器外部から加圧された内容物がキャップを介して吐出される。また、例えば特許文献１に示されるように、内容物を斜め方向へ少量注出する斜め注出ヒンジキャップが存在する。より具体的に特許文献１で提案されている斜め注出ヒンジキャップは、前方へほぼ４５度の角度で注出口部が途中で傾斜する注出筒を備えており、この斜めに傾斜した注出口１３１の注出孔１３２を介して内容物を斜め方向へ注出することが可能となっている。
【先行技術文献】
【特許文献】
【０００４】
【特許文献１】特開２００７−１５７１４号公報
【発明の概要】
【発明が解決しようとする課題】
【０００５】
たしかに上記した特許文献１に開示されたキャップにおいては、スクイズなどによって内容物である液体を斜め方向へ少量注出することは可能となっている。
しかしながらスクイズ時に容器の本体に加わる圧力は人によって様々であり、例えば男女の差異もあれば同一人物であってもその時々の体調によってもスクイズ圧は左右される。
【０００６】
ここで容器に貯蔵される内容物としては、例えばドレッシングなど少量の吐出が前提となる液体もあり、上記したスクイズ圧が強かったり予想以上に弱くなってしまった場合には、いずれも意図した箇所に注出できない恐れが生じてしまう。なお、意図した箇所に注出できないという課題は容器の口部に装着される用途のキャップに限られず、容器用途以外の用途で用いられるキャップにも当てはまると言える。
【０００７】
一方、かようなキャップを製造する際の成形性からすると、上記した特許文献１のごとき斜めに傾斜した注出口は、金型の固定側と可動側を真っ直ぐに引き離すだけの２方向抜き金型で品質良く成形することは困難である。したがって特許文献１に開示された構造のキャップを成形する場合、例えばスライドコアを用いると型構造は複雑となってしまい、スライドコアを用いず無理抜きをすれば品質の担保が困難となってしまう。
従って本発明の目的の１つは、シンプルな構造の射出成形型を用いて低コストで大量生産が可能であり、且つ斜めに液体を吐出可能な構造のキャップを提供することにある。
【課題を解決するための手段】
【０００８】
上記課題を解決するため、本発明の一形態におけるキャップは、（１）上部貫通孔が形成された頂板部と、前記頂板部の周縁から垂下する筒状スカート壁と、を含み、前記頂板部には、前記上部貫通孔を通過した内容物の吐出方向を傾向させるため前記上部貫通孔の一部と連通する下部貫通孔を形成する開口段部が設けられてなることを特徴とする。
【０００９】
なお上記（１）に記載のキャップにおいては、（２）前記下部貫通孔は、軸方向とは直交する径方向に関し、前記吐出した内容物が傾向する方向とは逆方向へ前記上部貫通孔に対してシフトして配置されていることが好ましい。
【００１０】
また、上記（２）に記載のキャップにおいては、（３）前記上部貫通孔および前記下部貫通孔は共に直径が互いに等しい円孔であり、前記下部貫通孔の円心は、前記径方向に関して、前記上部貫通孔の円心と前記筒状スカート壁の中心との間に配置されていることが好ましい。
【００１１】
また、上記（１）〜（３）のいずれかに記載のキャップにおいては、（４）前記頂板部の表面に、前記上部貫通孔を囲繞するように注出筒が突出形成され、前記頂板部は、前記上部貫通孔が形成されるとともに前記注出筒の内側に設けられたロート状底板部を含み、前記上部貫通孔から斜めに吐出された内容物が前記注出筒の内壁に接触することが好ましい。
【００１２】
また、上記（４）に記載のキャップにおいては、（５）前記頂板部をカバーする上蓋を更に有し、前記上蓋には、前記注出筒の内壁に密接可能なインナーリングと、当該インナーリングの内側で少なくとも前記上部貫通孔を閉塞可能な頂部を具備する閉塞栓と、が形成されていることが好ましい。
【００１３】
また、上記（５）に記載のキャップにおいては、（６）前記上蓋はヒンジ部を介して前記筒状スカート壁の上端部に接続され、前記ヒンジ部は、軸方向に関して前記上部貫通孔と並置される位置に配設されてなることが好ましい。
【発明の効果】
【００１４】
本発明によれば、互いの一部が連通する上部貫通孔と下部貫通孔とを用いることで、これらの貫通孔を通過する液体（容器の内容物など）の吐出方向を傾向させることが可能となる。
【図面の簡単な説明】
【００１５】
【図１】実施形態におけるキャップ１００の外観をそれぞれ示す斜視図（ただし底面側から見た斜視図では上蓋４０が省略）である。
【図２】上蓋４０が開いた開栓状態におけるキャップ１００を上方側から見た上面図である。
【図３】開栓状態におけるキャップ１００を側方側から見た側面図である。
【図４】開栓状態におけるキャップ１００を底面側から見た底面図である。
【図５】上蓋４０が閉じた閉栓状態におけるキャップ１００を側方側から見た側面図である。
【図６】キャップ１００が容器Ｂの口部Ｂｏに装着された状態を模式的に示した断面図である。
【図７】容器Ｂを傾倒させてキャップ１００を介して内容物Ｃを吐出した状態における模式図である。
【図８】変形例１におけるキャップ１０１を示した上面図と斜視図である。
【図９】変形例２におけるキャップ１０２を示した上面図である。
【発明を実施するための形態】
【００１６】
以下、本発明を好適に実施するための実施形態について説明する。
なお本実施形態においては、説明の便宜上、図を用いた説明においてＸ、Ｙ及びＺ方向を適宜設定したが、説明の便宜上であって本発明を何ら過度に限定するものではない。
【００１７】
また、以下の実施形態では、一例として、本発明のキャップ１００が容器Ｂの口部Ｂｏに装着される例を用いて説明する。しかしながら本発明のキャップ１００は、容器用途に限られず、例えば薬剤散布に用いられる放射状に注出可能な用途のキャップなど、吐出される内容物としての液体を任意の方向に傾向可能なキャップとして種々の用途に適用できる。
【００１８】
ここで本実施形態に用いられる容器Ｂ（図６など参照）としては、例えばドレッシングや醤油などの調味料あるいはお茶や水等の飲料又は薬液などが保存されるボトルの他、酒類やオリーブ油などを貯蔵するガラス製の瓶なども適用できる。なお容器Ｂがボトルの場合にはスクイズによって内容物を吐出可能な可撓性プラスチックボトルが好適であるが、容器Ｂとして可撓性は必ずしも必要ではない。
【００１９】
また、本実施形態のキャップ１００は、上記した容器Ｂに装着される形態に限られず、例えば紙やプラスチックなどの袋状容器に融着されるスパウトとして構成されていてもよい。このように本発明は、種々の容器に適用が可能な「封止部材」として捉えることができ、この封止部材の一例として、口部を予め備えた容器に装着可能なキャップ（ヒンジキャップ、プルキャップ）、注出栓や、上記した袋状容器に融着されるスパウトなどが例示できる。
【００２０】
＜キャップ１００＞
以下、一例として上記した容器Ｂに装着されるキャップ１００について、図１〜７を適宜参照しながら詳述する。なお図１（ｂ）においては、説明の便宜上で上蓋４０が省略された図示となっている点に留意されたい。
【００２１】
これらの図からも明らかなとおり、本実施形態におけるキャップ１００は、キャップ本体１、上蓋４０およびヒンジ部５０を含んで構成されている。なお、このキャップ１００の材質に特に制限はないが、例えば射出成形が可能な公知の合成樹脂（例えばポリエチレンやポリプロピレンなど）で構成されることが好ましい。
【００２２】
［キャップ本体１］
図１などに示されるとおり、本実施形態におけるキャップ本体１は、上部貫通孔１１が形成された頂板部１０と、この頂板部１０の周縁から垂下する筒状スカート壁２０とを含んで構成されている。
また、図１〜図３から明らかなとおり頂板部１０の表面１０ａに、上記した上部貫通孔１１を囲繞するように注出筒３０が突出形成されるとともに、周縁には後述する上蓋４０と係合可能な上蓋係合突起１６が形成されている。
【００２３】
注出筒３０は、図３に示すように、ロート状底板部３１、注出口３２及びこれらロート状底板部３１と注出口３２を繋ぐ注出誘導部３３を有し、頂板部１０の表面１０ａ側から突出形成されている。なお図２及び図３から理解できるとおり、本実施形態の注出筒３０は、軸方向（Ｚ方向）における頂板部１０の中心（筒状スカート壁２０の中心２０ｓと一致）に対してヒンジ部５０とは反対側（容器を傾倒して内容物を注出する際に下方となる側）にシフトするように配置されている。これにより内容物の注出時に注出口３２が目的箇所へより近接することが可能となり、意図しない液跳ねなどが抑制できる。
【００２４】
ロート状底板部３１は、本実施形態では注出筒３０の内側に位置しており、上記した上部貫通孔１１が形成されている。また図３に示すとおり、本実施形態のロート状底板部３１は、この上部貫通孔１１が底となるように中央へ向かうにつれて窪んだ凹状を呈している。これにより、内容物Ｃの吐出後で注出筒３０内や上部貫通孔１１内に内容物が残存した場合でも、この残存物を効率的に上部貫通孔１１まで導くことができる。なお図２や図３からも明らかなとおり、上部貫通孔１１はロート状底板部３１の中心に形成される必要は必ずしもなく、例えば注出筒３０と同様にヒンジ部５０とは反対側にシフトして配置されていることが好ましい。
【００２５】
また、本実施形態におけるロート状底板部３１は、頂板部１０とは面一に形成されておらず、底面側（容器Ｂの内部側）は上面側にあわせて傾斜面となるようにバッファ空間１４が形成されている。これにより、ロート状底板部３１の板厚が他部に比して厚くなってしまうことが抑制されるとともに、キャップ１００の材料費も低減することが可能となっている。
なお本実施形態においては、上記したロート状底板部３１は、頂板部１０と一体となって形成されていてもよい。かような意味からも、このロート状底板部３１は、頂板部１０に含まれる構成要素であると定義する。
【００２６】
注出口３２は、注出筒３０の頂部に位置しており、液切れなどを目的として頂点がカール状に巻かれた外向きカール形状となっている。図７を用いて後述するとおり、本実施形態では、上部貫通孔１１を通過した内容物Ｃを積極的に注出誘導部３３へ接触させて注出が制御されることから、この注出筒３０を従来に比して大径とすることが可能となっている。これにより、注出口３２のカール形状も従来に比して大きな弧状とすることができ、成形性が高まるばかりでなく液切れ性も高めることが実現されている。
【００２７】
なお、本実施形態では、上蓋４０とキャップ本体１とはヒンジ部５０を介して連結されているが、後に例示するようにヒンジ部５０が省略される場合には注出口３２は周方向で一様なカール形状となるように形成することが好ましい。
【００２８】
また図１（ｂ）及び図３に示すとおり、頂板部１０の底面側１０ｂのうち上記したバッファ空間１４の外側には、容器Ｂの口部Ｂｏの内周側と嵌合可能な嵌合壁部１５が形成されている。この嵌合壁部１５は、頂板部１０の底面側１０ｂからリング状に垂下するように立設しており、容器Ｂへの装着時に口部Ｂｏと密着することで容器の密封性が確保されることになる。
【００２９】
筒状スカート壁２０は、上方視が円状である頂板部１０の周縁から垂下するように設けられた筒状の部位である。本実施形態においては、この筒状スカート壁２０の中心２０ｓがキャップ１００の中心とほぼ一致するように構成されている。
【００３０】
また図３及び図６から理解されるとおり、容器Ｂにおける口部Ｂｏの外側には係止突条Ｂｐが形成されており、この係止突条Ｂｐが筒状スカート壁２０の係止リブ２１に係止することで容器Ｂにキャップ１００が装着される。なお本実施形態では、容器Ｂに対するキャップ１００の装着態様を係止突条Ｂｐと係止リブ２１との係止構造としたが、この装着態様に限られず、例えばネジ構造とするなど公知の種々の装着態様を適用してもよい。
【００３１】
［上蓋４０］
図１および図３などに示すとおり、本実施形態のキャップ１００は、上記した頂板部１０をカバー可能な上蓋４０を更に有して構成されている。またこれらの図からも明らかなとおり、上蓋４０は、ヒンジ部５０を介して筒状スカート壁２０の上端部に接続されている。このようにキャップ１００ではヒンジ部５０によってキャップ本体１と上蓋４０とが連結された構造となっているため、注出筒３０のうちヒンジ部５０側における注出誘導部３３は形成されておらず切り欠いた構造となっている。
【００３２】
かような上蓋４０は、注出筒３０の内壁（注出誘導部３３）に密接可能なインナーリング４１と、当該インナーリング４１の内側で少なくとも上部貫通孔１１を閉塞可能な頂部４２ａを具備する閉塞栓４２と、を含むように形成されている。
したがって図５及び図６（ａ）に示すとおり、上蓋４０が上蓋係合突起１６と係合してキャップ本体１をカバーする閉栓時には、インナーリング４１が注出筒３０の内壁に密着するとともに、これと並行して閉塞栓４２の頂部４２ａが上部貫通孔１１を閉塞する。
【００３３】
このように上部貫通孔１１を閉塞栓４２で閉塞するとともにインナーリング４１で密封することにより、キャップ１００としての密封性が着実に確保されることとなる。また、閉塞栓４２が上部貫通孔１１を閉塞するため、例えば注出後で上部貫通孔１１内に内容物Ｃが残存する場合でも、この閉塞栓４２の頂部４２ａによって容器内部まで上記の残存物を押し戻すことが可能となる。
【００３４】
なお本実施形態の閉塞栓４２は、上記した閉栓時において、頂部４２ａが少なくとも上部貫通孔１１を閉塞する形態としたがこの態様には限られない。すなわち、要部のみ一部拡大した図６（ｂ）で例示するように、閉塞栓４２の頂部４２ａに対して更に閉塞突起４２ｂを形成し、上記した閉栓時においてこの閉塞突起４２ｂが下部貫通孔１２（後述）も閉塞するように構成してもよい。これにより、さらに優れた密封性を確保するとともに、この閉塞突起４２ｂによって下部貫通孔１２に残存する内容物Ｃまでも容器内部まで押し戻すことが可能となる。
【００３５】
また、これらの図に示すように、本実施形態では、上記したヒンジ部５０は、軸方向（Ｚ方向）に関して上部貫通孔１１と並置される位置に配設されてなることが好ましい。より具体的には、本実施形態では頂板部１０に対してロート状底板部３１を底上げすることで、ヒンジ部５０の配置を上部貫通孔１１の底部と軸方向において同じ高さとしている。こうすることで、上蓋４０がヒンジ部５０を介して旋回を完了したとき（換言すれば上蓋係合突起１６と係合するとき）に、ちょうど閉塞栓４２の頂部４２ａの軌跡が上部貫通孔１１の底部と一致して閉塞することとなって密封性が向上する。
【００３６】
＜液体（内容物）吐出における吐出方向の傾向＞
次に図１〜４および７を適宜参照しつつ、容器Ｂに装着可能な本実施形態のキャップ１００における液体吐出における吐出方向の調整態様について説明する。
まず図７から明らかなとおり、本実施形態のキャップ１００においては、上部貫通孔１１を通過した液体（本例では容器Ｂに貯蔵された内容物Ｃ）が容器の吐出方向（図中のＤＤ方向）へ直進せずに、前記上部貫通孔１１から斜めに吐出（傾向）されることに特徴がある。
【００３７】
より具体的な構造としては、図１〜４に示すとおり、本実施形態のキャップ１００における頂板部１０には、上部貫通孔１１を通過した内容物Ｃの吐出方向を傾向させる下部貫通孔１２を形成する開口段部１３が設けられてなる。
そして図７（ｂ）も合わせて参照するとおり、この開口段部１３によって形成される下部貫通孔１２は、上部貫通孔１１の一部と連通する連通孔部ＯＰを形成する機能を有して構成されている。
【００３８】
また、図１〜４および７から理解されるとおり、本実施形態の上部貫通孔１１は、上記連通孔部ＯＰ以外の部位は開口段部１３によって塞がれて非貫通領域ＣＰ１となっている。一方で本実施形態の下部貫通孔１２についても、連通孔部ＯＰ以外の部位はロート状底板部３１によって塞がれて非貫通領域ＣＰ２となっている。
【００３９】
ここで、吐出される液体の傾向度合いは、上部貫通孔１１の断面積に対する連通孔部ＯＰの割合にも依存する。この点については、傾向させたい角度に応じて適宜調整可能であるが、例えば上部貫通孔１１の断面積に対して連通孔部ＯＰの割合が７０％以下であると吐出液体が傾向しやすくなる点において好ましいと言える。
【００４０】
このように本実施形態では、軸方向において上部貫通孔１１と下部貫通孔１２とが隣り合うように併設されることで、上部貫通孔１１から吐出される液体を任意の方向に傾向させることが可能となっている。より具体的に本実施形態では、容器Ｂを傾向した際に鉛直方向下方に向けて液体が傾向吐出されるように、下部貫通孔１２は、軸方向とは直交する径方向ＲＤに関し、吐出した内容物Ｃが傾向する方向とは逆方向へ上部貫通孔１１に対してシフトして配置されている。
【００４１】
すなわち図７（ａ）に示すとおり、吐出方向ＤＤに対して角度αだけ傾向して容器Ｂから内容物Ｃが上部貫通孔１１と下部貫通孔１２を介して吐出されることになる。さらに本実施形態では、この上部貫通孔１１を囲繞する注出筒３０をキャップ１００が具備しているため、この上部貫通孔１１から斜めに吐出された内容物Ｃが注出筒３０の内壁（注出誘導部３３）に接触することになる。
【００４２】
これにより、斜めに吐出した内容物Ｃは、目標へ直接到達せずに注出筒３０の内壁に当たることで、注出筒３０に沿って当該内容物Ｃを吐出することができる。このため、例えば何らかの要因で使用者が容器Ｂを意図せず強くスクイズしてしまったとしても、上部貫通孔１１から吐出される内容物Ｃは、結局のところ注出筒３０の内壁に接触して液量が調整されるため狙った目標に注ぎやすくなる。
【００４３】
なお図２、４および図７（ｂ）などに示すとおり、本実施形態においては、上部貫通孔１１および下部貫通孔１２は共に直径が互いに等しい円孔となっており、下部貫通孔１２の円心（貫通孔の中心）は、径方向（図２や図４におけるＸ方向、図７ではＲＤ方向）に関して、上部貫通孔１１の円心（貫通孔の中心）と筒状スカート壁２０の中心２０ｓとの間に配置されている。
【００４４】
しかしながら本実施形態は上記に限定されず、例えば以下の表１に示すような上部貫通孔１１および下部貫通孔１２の組み合わせを採用してもよい。このとき、それぞれの組み合わせにおいて上部貫通孔１１および下部貫通孔１２は、互いに大きさが等しくなくともよい。さらには、それぞれの組み合わせにおいて上部貫通孔１１の深さと下部貫通孔１２の深さは、互いに等しくともよく、あるいは互いに異なる深さで形成されていてもよい。
【００４５】
【表１】
2020158133.tif 000003
【００４６】
以上説明した本実施形態のキャップ１００においては、以下に述べる効果を奏することができる。
すなわち、まず従来のタイプでは狙った箇所に注出できず例えば皿（注出先となる目標）の外に内容物Ｃが飛び出してしまう場合もあった。これに対して本実施形態によれば、上部貫通孔１１を通過した液体（内容物Ｃ）が直進せずに斜めに傾向できるため任意の方向へ吐出方向を傾向できる。
【００４７】
これに加え、本実施形態ではキャップ１００が注出筒３０を備えるため、上部貫通孔１１を通過して斜めに吐出された内容物Ｃが注出筒３０の内壁に接触した後に注出口３２を介して目標へ注出される。これにより、この内容物Ｃが少量吐出することが好ましい場合であっても、スクイズの強弱の影響をあまり受けずに意図した場所に安定して注出することができる。
【００４８】
また、本実施形態の注出筒３０は、従来に比して大径の注出口３２を備えることができるため、注出口３２の形状として液戻し用のカールを大きく形成することができる。これにより、注出後の液切れ性も格段に向上させることが可能となり、さらには射出成形によってキャップ１００を製造する際には型抜け性を向上させることが可能となる。
【００４９】
ここで、本実施形態のごとく上蓋に設けた閉塞栓で注出筒の密封性を確保しようとする場合、例えば特許文献１のように斜めに傾斜した注出口１３１では、ヒンジの可動域に制限があるため上蓋の開閉軌道に基づいて閉塞栓が注出孔１３２を密閉して閉塞することは困難となってしまう。これに加え、斜めに傾斜した注出口を射出成形によって形成する場合には、斜め孔形成用の内側型の離型が困難であって複雑な金型構造となって製造コストが増加してしまう。
一方で本実施形態によれば、上記した上部貫通孔１１と下部貫通孔１２の並設構成によって液体を斜め方向に注出できるため、上蓋４０の開閉軌跡にあわせて閉塞栓４２を少なくとも上部貫通孔１１内に挿入でき、従来に比して優れた密封性を維持しつつ射出成形性にも優れることから低コストの大量生産が可能となっている。
【００５０】
上記した実施形態は一例であって、本発明の趣旨を逸脱しない範囲で種々の変形が可能である。
以下、図８及び図９を用いて上記実施形態に適用が可能な変形例について説明する。なおこれらの変形例においては、上記した実施形態のキャップ１００と異なる部分を中心に説明し、キャップ１００と機能が共通する構成要素については同じ番号を付してその説明は適宜省略する。
【００５１】
＜変形例１＞
まず図８を用いて変形例１におけるキャップ１０１について説明する。
本変形例１のキャップ１０１は、上記した実施形態のキャップ１００に比して、下部貫通孔１２の形状が異なっている点に特徴がある。
【００５２】
同図に示すとおり、変形例１のキャップ１０１は、上記した開口段部１３に代えて第２開口段部１３´を有して構成されている。この第２開口段部１３´は、上部貫通孔１１の連通孔部ＯＰ以外の部位を塞いで非貫通領域ＣＰ１を形成する機能を備える点においては開口段部１３と共通するものの、下部貫通孔１２を形成する形状が筒状でない点において差異がある。
【００５３】
このように本発明において、下部貫通孔１２は、必ずしも円孔である必要はなく、連通孔部ＯＰと非貫通領域ＣＰ１を形成可能であれば非貫通領域ＣＰ２の形状は特に制限はないと言える。したがって変形例１の第２開口段部１３´は、上部貫通孔１１と協働して連通孔部ＯＰを形成する下部貫通孔１２を形成可能であるとともに、上部貫通孔１１の連通孔部ＯＰ以外の部位を塞いで非貫通領域ＣＰ１を形成する機能を有していればよいと言える。
【００５４】
以上説明した変形例１におけるキャップ１０１においても、上記した実施形態と同様の効果を奏することができる。これに加え、容器内部から一様に連通孔部ＯＰへ流入するのではなく非貫通領域ＣＰ２側に偏在させて流入させることができ、より効率的に上部貫通孔１１から吐出される内容物Ｃを傾向させることが可能となっている。
【００５５】
＜変形例２＞
次に図９を用いて変形例２におけるキャップ１０２について説明する。
本変形例２のキャップ１０２は、上記したキャップ１００やキャップ１０１に比して、上蓋４０がキャップ本体１に対してヒンジ接続されていない点や、バッファ空間１４を有しない点などに特徴がある。
【００５６】
すなわち、同図に示すとおり、変形例２のキャップ１０２においては、バッファ空間１４が省略されて上記したロート状底板部３１と頂板部１０とが一体的に形成されている。このように本発明において、ロート状底板部３１と頂板部１０との位置関係は、実施形態のごとく軸方向に関して配置高さを異ならせる態様に限られず同じ高さとなっていてもよいと言える。したがって、変形例２のキャップ１０２においては、注出筒３０が頂板部１０の表面１０ａに立設されるとともに、この頂板部１０に上部貫通孔１１と下部貫通孔１２が共に形成された形態となっている。
【００５７】
なお、図示は省略するが、注出筒３０内における頂板部１０（実施形態においてはロート状底板部３１とされていた部位）は必ずしも平坦となっている必要はなく、上部貫通孔１１が底となるように円錐面状となっていてもよい。
また、変形例２ではヒンジ部５０は省略したが、上蓋４０がキャップ本体１に対してヒンジ接続する構造としてもよい。
【００５８】
以上説明した変形例２におけるキャップ１０２においても、上記した実施形態と同様の効果を奏することができる。これに加え、キャップ本体１の構造をよりシンプルに構成することが可能となっている。
なお上記説明において筒状スカート壁２０は外形が円筒状のものを例示したが、必ずしも円筒である必要はなく断面が楕円又は矩形などの非円形状であってもよい。
【産業上の利用可能性】
【００５９】
本発明は、容器用途またはそれ以外の用途において、二種の貫通孔を用いて液体の吐出方向を任意に傾向させることが可能なキャップを提供するのに適している。
【符号の説明】
【００６０】
１：キャップ本体
１０：頂板部
１１：上部貫通孔
１２：下部貫通孔
１３：開口段部
１３´：第２開口段部
１４：バッファ空間
１５：嵌合壁部
１６：上蓋係合突起
２０：筒状スカート壁
２１：係止リブ
３０：注出筒
３１：ロート状底板部
３２：注出口
３３：注出誘導部
４０：上蓋
４１：インナーリング
４２：閉塞栓
５０：ヒンジ部
１００〜１０２：キャップ
Ｂ：容器
Ｂｏ：口部
Ｂｐ：係止突条
【図１】
2020158133.tif 000004
【図２】
2020158133.tif 000005
【図３】
2020158133.tif 000006
【図４】
2020158133.tif 000007
【図５】
2020158133.tif 000008
【図６】
2020158133.tif 000009
【図７】
2020158133.tif 000010
【図８】
2020158133.tif 000011
【図９】
2020158133.tif 000012